(57)【要約】【課題】収納室を設けた階の階高が高くなっても十分な水平構面を備えた建物を提供する。【解決手段】  収納室８，１３がない部分の上部に水平構面部１１，１６が設けるので、収納室８，１３が設けられることで階高が高い階において、収納室８，１３がある部分は収納室８，１３の天井や床を構成する部分（サブ床１４，９）が水平構面として機能し、収納室８，１３がない部分では水平構面部１１，１６が水平構面として機能するので、収納室８，１３を設けた階の階高が高くなっても十分な水平構面を備えたものとなる。【選択図】図１
2008019671.tif 000002
【特許請求の範囲】
【請求項１】
ある階の上部または下部でかつ前記ある階の一部に収納室が設けられ、この収納室の高さ分だけ階高が高くなっている建物において、
前記ある階の収納室がない部分の上部に水平構面部が設けられていることを特徴とする建物。
【請求項２】
請求項１に記載の建物において、
２階の下部と１階の上部とにそれぞれ収納室が正面視において斜め左右に隣り合って設けられており、前記水平構面部は１階の収納室の隣りにある部屋の上部と、２階の収納室の隣りにある部屋の上部とに設けられていることを特徴とする建物。
【請求項３】
請求項２に記載の建物において、
１階の上部にある収納室はその１階の壁に固定される床を備え、２階の下部にある収納室はその２階の壁に固定される天井床を備えていることを特徴とする建物。
【請求項４】
請求項３に記載の建物において、
小屋裏収納が、前記天井床の上方と２階の収納室の隣りにある部屋の上部にある水平構面部の上方に跨って設けられていることを特徴とする建物。
【請求項５】
請求項１〜４のいずれか一項に記載の建物において、
前記水平構面部が軸組によって構成されていることを特徴とする建物。
【発明の詳細な説明】
【技術分野】
【０００１】
本発明は、収納室を備えた建物に関する。
【背景技術】
【０００２】
建物のある階の床の一部の上方に、この床より１．２〜１．４メートル高いスキップ床を設け、このスキップ床と前記床との間に収納室を設けた建物が知られている（例えば特許文献１参照）。
このような建物では、収納室に床から直接アクセスできるので利便性に優れており、また収納室の天井を構成するスキップ床上に部屋を設けることができるので、部屋面積が収納室によって小さくなることがないという利点がある。
【特許文献１】特開２００４−２５７１７８号公報
【発明の開示】
【発明が解決しようとする課題】
【０００３】
ところで、上記のような収納室を備えた建物では、収納室上に十分な高さを有する部屋を設けるため、収納室を設けた階の階高が収納室の高さ分だけ高くなっている。
階高を高くすると、建物に作用する水平外力に抗する水平構面が不足する場合がある。上記のような収納室を設けた階において、収納室がある部分では、収納室の天井を構成する床（スキップ床）が水平構面として機能するが、収納室がない部分は階高が高いので、水平外力に抗する不足する場合がある。
【０００４】
本発明は上記事情に鑑みてなされたもので、収納室を設けた階の階高が高くなっても十分な水平構面を備えた建物を提供することを課題としている。
【課題を解決するための手段】
【０００５】
上記課題を解決するために、請求項１に記載の発明は、例えば図１に示すように、ある階（１階、２階）の上部または下部でかつ前記ある階の一部に収納室８，１３が設けられ、この収納室８，１３の高さ分だけ階高が高くなっている建物において、
前記ある階の収納室８，１３がない部分の上部に水平構面部１１，１６が設けられていることを特徴とする。
【０００６】
請求項１に記載の発明によれば、収納室８，１３が設けられることで階高が高い階において、収納室８，１３がある部分は収納室８，１３の天井や床を構成する部分（サブ床１４，９）が水平構面として機能し、収納室８，１３がない部分では水平構面部１１，１６が水平構面として機能するので、収納室８，１３を設けた階の階高が高くなっても十分な水平構面を備えたものとなる。
【０００７】
請求項２に記載の発明は、請求項１に記載の建物において、
２階の下部と１階の上部とにそれぞれ収納室１３，８が正面視において斜め左右に隣り合って設けられており、前記水平構面部１１，１６は１階の収納室８の隣りにある部屋１０の上部と、２階の収納室１３の隣りにある部屋１５の上部とに設けられていることを特徴とする。
【０００８】
請求項２に記載の発明によれば、建物の正面視において左右側のうち一方側では２階の収納室１３の天井を構成する部分（サブ床１４）が水平構面として機能するとともに、１階では水平構面部１１が水平構面として機能する。また、他方側では１階の収納室８の床を構成する部分（サブ床９）が水平構面として機能するとともに、２階では水平構面部１６が水平構面として機能する。したがって、１階と２階にそれぞれ収納室８，１３を備えた階高の高い２階建ての建物の水平構面をバランスよく配置できる。
【０００９】
請求項３に記載の発明は、請求項２に記載の建物において、
１階の上部にある収納室８はその１階の壁（外壁５と内壁２）に固定される床（サブ床９）を備え、２階の下部にある収納室１３はその２階の壁（外壁５と内壁２）に固定される天井床（サブ床１４）を備えていることを特徴とする。
【００１０】
請求項３に記載の発明によれば、１階の収納室８の床９が１階の壁に固定され、２階の収納室１４の天井床１４が２階の壁に固定されるので、これら収納室８，１３の床９や天井床１４を水平構面として確実に機能させることができる。
【００１１】
請求項４に記載の発明は、請求項３に記載の建物において、
小屋裏収納１８が、前記天井床１４の上方と２階の収納室１３の隣りにある部屋１５の上部にある水平構面部１６の上方に跨って設けられていることを特徴とする。
【００１２】
請求項４に記載の発明によれば、小屋裏収納１８を天井床１４の上方と水平構面部１６の上方に跨って大きく設けた場合に、天井床１４の上方の部屋１２から、小屋裏収納１８に容易にアクセスできる。
【００１３】
請求項５に記載の発明は、請求項１〜４のいずれか一項に記載の建物において、
前記水平構面部１１，１６が軸組によって構成されていることを特徴とする。
【００１４】
請求項５に記載の発明によれば、水平構面部１１，１６が軸組みによって構成されているので、収納室８，１３がない部分（部屋１０や部屋１５）の上部の大きさや形状に合せて現場で水平構面部１１，１６を容易に形成できる。
【発明の効果】
【００１５】
本発明によれば、収納室の高さ分だけ階高が高くなっている建物において、収納室がない部分の上部に水平構面部が設けられているので、収納室がある部分は収納室の天井や床を構成する部分が水平構面として機能し、収納室がない部分では水平構面部が水平構面として機能するので、収納室を設けた階の階高が高くなっても十分な水平構面を備えたものとなる。
【発明を実施するための最良の形態】
【００１６】
以下図面を参照して本発明の実施の形態について説明する。
図１は本発明に係る建物の一例を示す断面図である。この図に示す建物１は、２階建ての建物であり、例えば周知の木質パネル工法によって構築される。木質パネル工法は、屋根、壁、床等を予め工場等においてパネル化しておき、このパネル化された木質パネルを現場で組み立てることによって建物を構築する方法である。パネルは、矩形枠の内部に必要に応じて補強桟材を組み付けてなる枠体の少なくとも一方の面に合板等からなる面材を貼着して形成されたものである。
【００１７】
建物１には、その中央部に内壁２が１階床３から天井４まで立設されており、この内壁２と左右両側の外壁５，５とにそれぞれ２階床６，６が架設されている。
１階の上部でかつ右側の部屋７の上部には収納室８が設けられている。この収納室８は２階床６とその下方に配置されたサブ床９との間に設けられたもので、その高さは１．４ｍ程度になっている。サブ床９は右側の外壁５と内壁２との間に架設され、これらに固定されている。収納室８には、２階床６に形成された蓋付き開口や、１階と２階との間に設けられた階段途中の踊り場等からアクセス可能となっている。
また、１階の上部でかつ左側の部屋１０つまり収納室がない部屋１０の上部には水平構面部１１が設けられている。この水平構面部１１は軸組みによって構成されている。すなわち、木製または金属製の棒状部材を平面格子状に組立てることによって構成され、このような水平構面部１１は左側の外壁５と内壁２との間に架設され、これらに固定されている。
【００１８】
２階の下部でかつ左側の部屋１２の下部には収納室１３が設けられている。この収納室１３は２階床６とその上方に配置されたサブ床１４との間に設けられたもので、その高さは１．４ｍ程度になっている。サブ床１４は左側の外壁５と内壁２との間に架設され、これらに固定されている。収納室１３には、２階床６からアクセス可能となっている。
また、２階の上部でかつ右側の部屋１５つまり収納室がない部屋１５の上部には水平構面部１６が設けられている。この水平構面部１６は前記水平構面部１１と同様に軸組みによって構成されている。このような水平構面部１６は右側の外壁５と内壁２との間に架設され、これらに固定されている。
【００１９】
前記収納室１３と収納室８とは正面視において斜め左右に隣り合って設けられており、前記水平構面部１１は１階の収納室８の隣りにある部屋１０の上部に設けられ、水平構面１６は、２階の収納室１３の隣りにある部屋１５の上部に設けられている。
【００２０】
また、屋根１７の裏側には小屋裏収納１８が収納室１３の天井（サブ床）１４の上方と２階の収納室１３の隣りにある部屋１５の上部にある水平構面部１６の上方に跨って設けられている。
したがって、小屋裏収納１８を天井床１４の上方と水平構面部１６の上方に跨って大きく設けても、天井床１４の上方の部屋１２から、小屋裏収納１８に容易にアクセスできる。
【００２１】
本実施の形態によれば、収納室８，１３が設けられることで階高が高い階において、収納室８，１３がある部分は収納室８，１３のサブ床８やサブ床１４が水平構面として機能し、収納室８，１３がない部分では水平構面部１１，１６が水平構面として機能するので、収納室８，１３を設けた階の階高が高くなっても十分な水平構面を備えたものとなる。
また、建物の正面視において左右側のうち左側では２階の収納室１３の天井を構成する部分（サブ床１４）が水平構面として機能するとともに、１階では水平構面部１１が水平構面として機能する。また、右側では１階の収納室８の床を構成する部分（サブ床９）が水平構面として機能するとともに、２階では水平構面部１６が水平構面として機能する。したがって、１階と２階にそれぞれ収納室８，１３を備えた階高の高い２階建ての建物の水平構面をバランスよく配置できる。
さらに、１階の収納室８の床（サブ床９）が１階の壁（外壁５と内壁２）に固定され、２階の収納室１３の天井床（サブ床１４）が２階の壁（外壁５と内壁２）に固定されるので、これら収納室８，１３のサブ床９，１４を水平構面として確実に機能させることができる。
加えて、水平構面部１１，１６が軸組みによって構成されているので、収納室８，１３がない部分（部屋１０や部屋１５）の上部の大きさや形状に合せて現場で水平構面部１１，１６を容易に形成できる。
【００２２】
なお、本実施の形態では、本発明を２階建ての建物に適用した場合を例にとって説明したが、本発明では１階建てまたは３階建ての建物にも適用できる。
【図面の簡単な説明】
【００２３】
【図１】本発明に係る建物の一例を示す断面図である。
【符号の説明】
【００２４】
１  建物
２  内壁
５  外壁
８，１３  収納室
９  サブ床（収納室の床）
１０，１２，１５  部屋
１１，１６  水平構面部
１４  サブ床（天井床）
１８  小屋裏収納
【図１】
2008019671.tif 000003